(57)【要約】中継ノードに、データを受信すべき時を通知するための方法。方法は、アクセスノードが、物理的ダウンリンク共有チャネルを介して、関連データの伝送を開始する時の、データのサブフレーム内の固定点を、中継ノードが通知されるステップを含む。方法は、中継ノードが、略固定点において、データの受信を開始するステップをさらに含む。一実施形態において、アクセスノードは、中継ノードに、上層信号伝達を経由して、固定点を通知する。【選択図】図３ｂ
2012520621.tif 000002
【特許請求の範囲】
【請求項１】
データを受信すべき時を中継ノードに通知するための方法であって、
該中継ノードが、アクセスノードが物理的ダウンリンク共有チャネル（ＰＤＳＣＨ）を介して関連データの伝送を開始する時のデータのサブフレーム内の固定点を通知されるステップと、
該中継ノードが、略該固定点において、データの受信を開始するステップと
を含む、方法。
【請求項２】
前記関連データは、少なくとも、中継物理的ダウンリンク制御チャネル（Ｒ−ＰＤＣＣＨ）を含む、請求項１に記載の方法。
【請求項３】
前記アクセスノードは、前記中継ノードに、上層信号伝達を経由して、前記固定点を通知する、請求項１に記載の方法。
【請求項４】
前記上層信号伝達は、
ブロードキャスト制御チャネルと、
無線リソース信号伝達と、
媒体アクセス制御（ＭＡＣ）制御要素と
のうちの少なくとも１つである、請求項３に記載の方法。
【請求項５】
前記固定点は、事前に構成されているか、またはプリセットである、請求項１に記載の方法。
【請求項６】
前記固定点は、前記サブフレームの第４または第５のＯＦＤＭシンボルに位置している、請求項５に記載の方法。
【請求項７】
前記サブフレーム内の物理的ダウンリンク制御チャネル（ＰＤＣＣＨ）領域のサイズは、固定され、前記固定点は、該ＰＤＣＣＨ領域の略終点である、請求項１に記載の方法。
【請求項８】
前記サブフレーム内の物理的ダウンリンク制御チャネル（ＰＤＣＣＨ）領域のサイズは、可変であって、前記固定点は、最も大きい可能性のあるＰＤＣＣＨ領域の終点より早く生じることはない、請求項１に記載の方法。
【請求項９】
前記アクセスノードは、前記ＰＤＣＣＨ領域の終点と前記固定点との間の前記サブフレームの一部にダミーデータを挿入する、請求項８に記載の方法。
【請求項１０】
前記中継ノードは、前記固定点に先立って、データの受信を開始する、請求項１に記載の方法。
【請求項１１】
無線電気通信システム内のアクセスノードであって、
該アクセスノードが、中継ノードに、該アクセスノードが関連物理的ダウンリンク共有チャネル（ＰＤＳＣＨ）データの伝送を開始する、データのサブフレーム内の固定点に関連する情報を伝送するように構成されるプロセッサを含む、アクセスノード。
【請求項１２】
前記関連データは、少なくとも、中継物理的ダウンリンク制御チャネル（Ｒ−ＰＤＣＣＨ）を含む、請求項１１に記載のアクセスノード。
【請求項１３】
前記アクセスノードは、上層信号伝達を経由して、前記固定点に関連する情報を伝送する、請求項１１に記載のアクセスノード。
【請求項１４】
前記上層信号伝達は、
ブロードキャスト制御チャネルと、
無線リソース信号伝達と、
媒体アクセス制御（ＭＡＣ）制御要素と
のうちの少なくとも１つである、請求項１３に記載のアクセスノード。
【請求項１５】
前記固定点は、事前に構成されているか、またはプリセットである、請求項１１に記載のアクセスノード。
【請求項１６】
前記固定点は、前記サブフレームの第４または第５のＯＦＤＭシンボルに位置している、請求項１５に記載のアクセスノード。
【請求項１７】
前記サブフレーム内の物理的ダウンリンク制御チャネル（ＰＤＣＣＨ）領域のサイズは、固定され、前記固定点は、該ＰＤＣＣＨ領域の略終点である、請求項１１に記載のアクセスノード。
【請求項１８】
前記サブフレーム内の物理的ダウンリンク制御チャネル（ＰＤＣＣＨ）領域のサイズは、可変であって、前記固定点は、最も大きい可能性のあるＰＤＣＣＨ領域の終点より早く生じることはない、請求項１１に記載のアクセスノード。
【請求項１９】
前記アクセスノードは、前記ＰＤＣＣＨ領域の終点と前記固定点との間の前記サブフレームの一部にダミーデータを挿入する、請求項１８に記載のアクセスノード。
【請求項２０】
前記アクセスノードは、前記中継ノードに、前記固定点よりも前にデータの受信を開始すべきことを通知する、請求項１１に記載のアクセスノード。
【請求項２１】
無線電気通信システム内の中継ノードであって、
該中継ノードが、アクセスノードから、該アクセスノードが関連物理的ダウンリンク共有チャネル（ＰＤＳＣＨ）データの伝送を開始する、データのサブフレーム内の固定点に関連する情報をを受信するように構成され、略該固定点において、データの受信を開始するようにさらに構成されるプロセッサを含む、中継ノード。
【請求項２２】
前記関連データは、少なくとも、中継物理的ダウンリンク制御チャネル（Ｒ−ＰＤＣＣＨ）を含む、請求項２１に記載の中継ノード。
【請求項２３】
前記中継ノードは、上層信号伝達を経由して、前記固定点に関連する情報を受信する、請求項２１に記載の中継ノード。
【請求項２４】
前記上層信号伝達は、
ブロードキャスト制御チャネルと、
無線リソース信号伝達と、
媒体アクセス制御（ＭＡＣ）制御要素と
のうちの少なくとも１つである、請求項２３に記載の中継ノード。
【請求項２５】
前記固定点は、事前に構成されているか、またはプリセットである、請求項２１に記載の中継ノード。
【請求項２６】
前記固定点は、前記サブフレームの第４または第５のＯＦＤＭシンボルに位置している、請求項２５に記載の中継ノード。
【請求項２７】
前記サブフレーム内の物理的ダウンリンク制御チャネル（ＰＤＣＣＨ）領域のサイズは、固定され、前記固定点は、該ＰＤＣＣＨ領域の略終点である、請求項２１に記載の中継ノード。
【請求項２８】
前記サブフレーム内の物理的ダウンリンク制御チャネル（ＰＤＣＣＨ）領域のサイズは、可変であって、前記固定点は、最も大きい可能性のあるＰＤＣＣＨ領域の終点より早く生じることはない、請求項２１に記載の中継ノード。
【請求項２９】
前記ＰＤＣＣＨ領域の終点と前記固定点との間の前記サブフレームの一部は、ダミーデータを含む、請求項２８に記載の中継ノード。
【請求項３０】
前記中継ノードは、前記固定点よりも前にデータの受信を開始する、請求項２１に記載の中継ノード。
【発明の詳細な説明】
【背景技術】
【０００１】
本明細書で使用される場合、用語「ユーザエージェント」および「ＵＡ」は、ある場合には、電気通信能力を有する、携帯電話、携帯情報端末、携帯式またはラップトップコンピュータ、および類似のデバイス等のモバイルデバイスを指す場合がある。そのようなＵＡは、ＵＡと、加入者識別モジュール（ＳＩＭ）アプリケーション、汎用加入者識別モジュール（ＵＳＩＭ）アプリケーション、または可撤性ユーザ識別モジュール（Ｒ−ＵＩＭ）アプリケーションを含む汎用集積回路カード（ＵＩＣＣ）等が挙げられるが、これに限定されない、その関連する可撤性メモリモジュールとから成る場合がある。代替的に、そのようなＵＡは、そのようなモジュールを伴わないデバイス自体から成る場合がある。他の場合において、用語「ＵＡ」は、デスクトップコンピュータ、セットトップボックス、またはネットワーク機器等の、移動可能ではないが類似した能力を有するデバイスを指す場合がある。また、用語「ＵＡ」は、ユーザのために、通信セッションを終了することが可能な、任意のハードウェアまたはソフトウェア構成要素を指すことが可能である。また、用語「ユーザエージェント」、「ＵＡ」、「ユーザ機器」、「ＵＥ」、および「ユーザノード」は、本明細書で同義的に使用される場合がある。
【０００２】
電気通信技術の進化に伴って、より高度なネットワークアクセス機器が導入され、以前には不可能であったサービスが提供可能となっている。本ネットワークアクセス機器は、従来の無線電気通信システム内の同等機器の改良である、システムおよびデバイスを含む場合がある。そのような高度または次世代装置は、ロングタームエボリューション（ＬＴＥ）装置等の進化型無線通信規格に含まれ得る。例えば、ＬＴＥシステムは、従来の基地局ではなく、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）ノードＢ（ｅＮＢ）、無線アクセスポイント、または類似構成要素を含む場合がある。本明細書で使用されるように、用語「アクセスノード」は、ＵＡまたは中継ノードに、電気通信システム内の他の構成要素にアクセスさせる、受信および伝送範囲の地理的面積を生成する、従来の基地局、無線アクセスポイント、またはＬＴＥ  ｅＮＢ等の無線ネットワークの任意の構成要素を指す。アクセスノードは、複数のハードウェアおよびソフトウェアを備え得る。
【０００３】
用語「アクセスノード」は、アクセスノードまたは別の中継ノードによって生成される範囲を拡大あるいは拡張するように構成される、無線ネットワーク内の構成要素である、「中継ノード」を指すものではない場合がある。アクセスノードおよび中継ノードは両方とも、無線通信ネットワーク内に存在し得る、無線構成要素であって、用語「構成要素」および「ネットワークノード」は、アクセスノードまたは中継ノードを指し得る。構成要素は、その構成および設置に応じて、アクセスノードまたは中継ノードとして作用する場合があることを理解されたい。しかしながら、構成要素は、アクセスノードまたは他の中継ノードの無線範囲が、アクセス無線通信システム内の他の構成要素にアクセスすることを要求する場合のみ、「中継ノード」と呼ばれる。加えて、２つ以上の中継ノードは、アクセスノードによって生成される範囲を拡大または拡張するために直列に使用され得る。
【０００４】
ＬＴＥシステムは、無線リソース制御（ＲＲＣ）プロトコル等のプロトコルを含むことが可能であるが、これは、ＵＡとネットワークノードまたは他ＬＴＥ機器との間の無線リソースの割当、構成、および解放に関与する。ＲＲＣプロトコルは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）Ｔｅｃｈｎｉｃａｌ  Ｓｐｅｃｉｆｉｃａｔｉｏｎ  （ＴＳ）３６．３３１（第３世代パートナーシッププロジェクト技術規格）に詳述されている。ＲＲＣプロトコルによると、ＵＡのための２つの基本的なＲＲＣモードは、「アイドルモード」および「接続モード」として定義される。接続モードまたは状態中に、ＵＡは、ネットワークと信号を交換し、他の関連する動作を実施し得る一方で、アイドルモードまたは状態中に、ＵＡは、その接続モードの動作のうちの少なくともいくつかを遮断し得る。アイドルおよび接続モードの挙動は、３ＧＰＰ  ＴＳ３６．３０４およびＴＳ３６．３３１に詳述されている。
【０００５】
ＵＡ、中継ノード、およびアクセスノード間でデータを搬送する信号は、周波数、時間、およびコーディングパラメータ、ならびにネットワークノードによって指定され得る他の特徴を有することが可能である。そのような特徴の特定のセットを有する、これらの要素のいずれか間の接続は、リソースと称されることが可能である。用語「リソース」、「通信接続」、「チャネル」、および「通信リンク」は、本明細書では、同義的に使用される場合がある。ネットワークノードは、典型的には、それと任意の特定の時間で通信する、各ＵＡまたは他のネットワークノードのための異なるリソースを確立する。
【発明の概要】
【課題を解決するための手段】
【０００６】
最初に、本開示の１つ以上の実施形態の例示的な実装例を以下に提供するが、開示されるシステムおよび／または方法は、現在公知であるか、存在しているかに関わらず、任意の数の技術を使用して実装されてもよいことを理解されたい。本開示は、本明細書に示され、説明される例示的な設計および実装例を含む、以下に示される例示的な実装例、図面、および技術に限定されるべきではなく、同等物の十分な範囲とともに、添付の特許請求の範囲の範囲内で修正されてもよい。
【図面の簡単な説明】
【０００７】
本開示をより完全に理解するために、添付の図面および発明を実施するための形態と併せて理解される、以下の簡単な説明を参照する（類似参照数字は、類似部品を表す）。
【図１】図１は、本開示のある実施形態による、中継ノードを含む、無線通信システムを例証する、略図である。
【図２ａ】図２ａは、対応する中継ノード制御領域より小さい、アクセスノード制御領域を例証する、略図である。
【図２ｂ】図２ｂは、対応する中継ノード制御領域より大きい、アクセスノード制御領域を例証する、略図である。
【図３ａ】図３ａは、本開示のある実施形態による、ＰＤＳＣＨデータのための固定開始点を伴う、データのサブフレームの略図である。
【図３ｂ】図３ｂは、本開示の代替実施形態による、ＰＤＳＣＨデータのための固定開始点を伴う、データのサブフレームの略図である。
【図４】図４は、本開示のある実施形態による、データを受信すべき時を中継ノードに通知するための方法のブロック略図である。
【図５】図５は、本開示のいくつかの実施形態を実装するための好適なプロセッサおよびに関連する構成要素を例証する。
【発明を実施するための形態】
【０００８】
図１は、本開示のある実施形態による、中継ノード１０２を含む、無線通信システム１００を例証する、略図である。無線通信システム１００の実施例として、ＬＴＥまたはＬＴＥ−Ａｄｖａｎｃｅｄ（ＬＴＥ−Ａ）ネットワークが挙げられ、開示および請求される実施形態はすべて、ＬＴＥ−Ａネットワーク内で実装され得る。ＬＴＥは、３ＧＰＰ  Ｒｅｌｅａｓｅ  ８（Ｒｅｌ−８またはＲ８）と、Ｒｅｌｅａｓｅ  ９（Ｒｅｌ−９またはＲ９）に対応すると考えられ得る一方、ＬＴＥ−Ａは、Ｒｅｌｅａｓｅ  １０（Ｒｅｌ−１０またはＲ１０）と、可能性として、Ｒｅｌｅａｓｅ  １０以上に対応すると考えられ得る。
【０００９】
中継ノード１０２は、ＵＡ１１０から受信した信号を増幅または反復し、修正信号をアクセスノード１０６で受信させることが可能である。中継ノード１０２のいくつかの実装では、中継ノード１０２は、ＵＡ１１０からのデータを伴う信号を受信し、次いで、新しい信号を生成し、データをアクセスノード１０６に伝送する。また、中継ノード１０２は、アクセスノード１０６からデータを受信し、データをＵＡ１１０に送達可能である。
【００１０】
中継ノード１０２は、ＵＡ１１０が、セルのためのアクセスノード１０６と直接通信するのではなく、中継ノード１０２と通信可能なように、セルのエッジ近傍に設置される場合がある。無線システムでは、セルは、受信および伝送範囲の地理的面積である。セルは、相互に重複可能である。典型的実施例では、各セルと関連付けられた１つのアクセスノードが存在する。セルのサイズは、周波数帯域、電力レベル、およびチャネル条件等の要因によって決定される。中継ノード１０２等の中継ノードは、セル内の範囲を拡張する、またはセルの範囲のサイズを拡大するために使用可能である。加えて、ＵＡ１１０は、ＵＡ１１０が、セルのためのアクセスノード１０６と直接通信する場合に使用され得るものより、高データ速度において、中継ノード１０２にアクセス可能であって、したがって、より高いスペクトル効率を生成するため、中継ノード１０２の使用は、セル内の信号のスループットを拡張可能となる。また、中継ノード１０２の使用は、ＵＡ１１０により低い電力で伝送させることによって、ＵＡのバッテリ使用を削減可能となる。
【００１１】
中継ノードは、概して、３つの種類に分割可能である。すなわち、層１中継ノード、層２中継ノード、および層３中継ノードである。層１中継ノードは、本質的には、増幅および若干の遅延以外、任意の修正を行うことなく、伝送を再送可能である、リピータである。層２中継ノードは、受信した伝送をデコードし、デコードの結果を再エンコードし、次いで、再エンコードされたデータを伝送可能である。層３中継ノードは、完全無線リソース制御能力を有し、したがって、アクセスノードと同様に機能可能である。中継ノードによって使用される無線リソース制御プロトコルは、アクセスノードによって使用されるものと同一であってもよく、中継ノードは、典型的には、アクセスノードによって使用される、一意のセル識別を有し得る。例証的実施形態は、主に、層２または層３中継ノードに関係している。したがって、本明細書で使用されるように、用語「中継ノード」は、別途具体的に記載されない限り、層１中継ノードを指すものではない。
【００１２】
ＵＡ１１０が、中継ノード１０２を経由して、アクセスノード１０６と通信する際、無線通信を可能にするリンクは、３つの別個の種類があると考えられ得る。ＵＡ１１０と中継ノード１０２との間の通信リンクは、アクセスリンク１０８を介して生じると考えられる。中継ノード１０２とアクセスノード１０６との間の通信は、中継リンク１０４を介して生じると考えられる。中継ノード１０２を通過せず、ＵＡ１１０とアクセスノード１０６との間を直接通過する通信は、直接リンク１１２を介して生じると考えられる。
【００１３】
アクセスノード１０６は、中継ノード１０２に、それぞれ、比較的に短い制御領域に続いて、比較的に長いデータ領域から成る、一連のサブフレームとして、データを送信する。制御領域、または物理的ダウンリンク制御チャネル（ＰＤＣＣＨ）は、典型的には、１乃至４つの直交周波数分割多重（ＯＦＤＭ）シンボルから成る。データ領域、または物理的ダウンリンク共有チャネル（ＰＤＳＣＨ）は、著しく長い可能性がある。中継ノード１０２は、ＵＡ１１０に、類似のフォーマットで、データを送信する。
【００１４】
本構成下では、中継ノード１０２は、アクセスノード１０６が、制御データを中継ノード１０２に伝送するのと同時に、制御データをＵＡ１１０に伝送する。しかしながら、中継ノード１０２は、典型的には、データを同時に送受信不可能である。したがって、中継ノード１０２は、中継ノード１０２が制御情報をＵＡ１１０に伝送する間、アクセスノード１０６によって伝送される制御情報を受信できない。従って、中継ノード１０２が制御情報をＵＡ１１０に送信している間に、中継ノード１０２が、アクセスノード１０６によって伝送された制御情報を受信しないことがある。アクセスノード１０６が伝送する制御情報の一部は、その制御情報のサイズ、すなわち、ＰＤＣＣＨ領域のサイズを指定する場合がある。中継ノード１０２が、本情報を受信できないため、中継ノード１０２は、ＰＤＣＣＨデータの終了およびＰＤＳＣＨデータの開始時を把握できない。中継ノード１０２は、単に、ＵＡ１１０への制御情報の伝送を完了すると、アクセスノード１０６からのＰＤＳＣＨデータの待ち受けを開始する。中継ノード１０２が、アクセスノード１０６からのＰＤＳＣＨデータの待ち受けを開始する時が、アクセスノード１０６が、ＰＤＳＣＨデータの伝送を開始する時と一致しない可能性がある。これは、中継ノード１０２に、ＰＤＳＣＨデータの一部を逸失させるか、または、アクセスノード１０６が依然としてＰＤＣＣＨデータを送信している間に、中継ノード１０２に、ＰＤＳＣＨデータの待ち受けを行わせることになり得る。
【００１５】
図２ａは、そのようなシナリオの１つを例証する。アクセスノード１０６から中継ノード１０２に送信される、データのサブフレーム２１０は、ＰＤＣＣＨ領域２１２と、ＰＤＳＣＨ領域２１４と、から成る。同様に、中継ノード１０２からＵＡ１１０に送信される、データのサブフレーム２２０は、ＰＤＣＣＨ領域２２２と、ＰＤＳＣＨ領域２２４と、から成る。アクセスノード１０６から送信される、サブフレーム２１０内のＰＤＣＣＨ領域２１２およびＰＤＳＣＨ領域２１４は、必ずしも、中継ノード１０２から送信される、サブフレーム２２０内のＰＤＣＣＨ領域２２２およびＰＤＳＣＨ領域２２４と同一ではない。これらの領域を区別するために、サブフレーム２１０内のＰＤＣＣＨ領域２１２およびＰＤＳＣＨ領域２１４は、以下、それぞれ、アクセスノードＰＤＣＣＨ領域２１２ならびにアクセスノードＰＤＳＣＨ領域２１４と称される。サブフレーム２２０内のＰＤＣＣＨ領域２２２およびＰＤＳＣＨ領域２２４は、以下、それぞれ、中継ノードＰＤＣＣＨ領域２２２ならびに中継ノードＰＤＳＣＨ領域２２４と称される。
【００１６】
中継ノード１０２は、アクセスノード１０６がアクセスノードＰＤＣＣＨ領域２１２内の情報を中継ノード１０２に送信するのと略同時に、中継ノードＰＤＣＣＨ領域２２２内の情報をＵＡ１１０に送信するように構成される。図２ａの実施例では、中継ノードＰＤＣＣＨ領域２２２は、アクセスノードＰＤＣＣＨ領域２１２より大きい。例えば、中継ノードＰＤＣＣＨ領域２２２は、２つのＯＦＤＭシンボルから成る一方、アクセスノードＰＤＣＣＨ領域２１２は、１つのＯＦＤＭシンボルのみから成る場合がある。
【００１７】
中継ノード１０２は、中継ノードＰＤＣＣＨ領域２２２内の情報を伝送している間、アクセスノードＰＤＣＣＨ領域２１２内の情報を受信不可能であるため、中継ノード１０２は、アクセスノードＰＤＣＣＨ領域２１２のサイズに関するいかなる情報も受信しない。中継ノード１０２は、単に、中継ノード１０２が中継ノードＰＤＣＣＨ領域２２２内の情報の送信を終了する時点２３０において、アクセスノードＰＤＳＣＨ領域２１４内のデータの待ち受けを開始する。しかしながら、アクセスノード１０６は、実際には、アクセスノード１０６がアクセスノードＰＤＣＣＨ領域２１２内の情報の送信を終了する時点２４０において、アクセスノードＰＤＳＣＨ領域２１４内のデータの伝送を開始する。すなわち、アクセスノード１０６は、中継ノード１０２がアクセスノードＰＤＳＣＨ領域２１４内のデータの待ち受けを開始する前に、アクセスノードＰＤＳＣＨ領域２１４内のデータの伝送を開始する。これは、中継ノード１０２に、アクセスノードＰＤＳＣＨ領域２１４内のデータの一部２５０を逸失させる。
【００１８】
図２ｂは、別のシナリオを例証する。この場合、中継ノードＰＤＣＣＨ領域２２２は、アクセスノードＰＤＣＣＨ領域２１２より小さい。例えば、中継ノードＰＤＣＣＨ領域２２２は、２つのＯＦＤＭシンボルから成る一方、アクセスノードＰＤＣＣＨ領域２１２は、３つのＯＦＤＭシンボルから成る場合がある。中継ノード１０２は、再び、中継ノード１０２が中継ノードＰＤＣＣＨ領域２２２内の情報の伝送を完了する時点２３０において、アクセスノードＰＤＳＣＨ領域２１４内のデータの待ち受けを開始する。本シナリオでは、しかしながら、アクセスノード１０６は、時点２３０では、依然として、ＰＤＣＣＨ情報を伝送している。したがって、中継ノード１０２は、いかなるＰＤＳＣＨデータも伝送される前に、ＰＤＳＣＨデータの待ち受けを開始するであろう。中継ノード１０２は、ＰＤＳＣＨデータが予期される時に受信されるＰＤＣＣＨ情報の一部２６０を無視可能であるが、本情報の待ち受けを行い、デコードすることは、リソースの無駄となり得る。
【００１９】
さらに別のシナリオ（図示せず）では、中継ノードＰＤＣＣＨ領域２２２およびアクセスノードＰＤＣＣＨ領域２１２は、同一サイズである。この場合、中継ノード１０２は、アクセスノード１０６がアクセスノードＰＤＳＣＨ領域２１４内のデータの伝送を開始するのと略同時に、アクセスノードＰＤＳＣＨ領域２１４内のデータの待ち受けを開始するであろう。しかしながら、中継ノード１０２伝送モードから受信モードに変化するのに伴う、中継切替遅延のため、中継ノード１０２は、依然として、ＰＤＳＣＨデータの一部を逸失する場合がある。
【００２０】
種々の実施形態では、アクセスノード１０６は、ＰＤＳＣＨデータの待ち受けを開始すべき時を中継ノード１０２に通知する。一実施形態では、アクセスノードＰＤＣＣＨ領域２１２のサイズは、固定され、アクセスノード１０６は、本サイズを中継ノード１０２に通知し、中継ノード１０２は、ＰＤＣＣＨ情報の固定終点において、ＰＤＳＣＨデータの待ち受けを開始する。別の実施形態では、アクセスノードＰＤＣＣＨ領域２１２のサイズは、可変であって、アクセスノード１０６は、最も大きい可能性のあるアクセスノードＰＤＣＣＨ領域の終点を超えた時点において、ＰＤＳＣＨデータの待ち受けを開始することを中継ノード１０２に通知する。
【００２１】
図３ａは、これらの実施形態の１つ目を例証する。この場合、アクセスノードＰＤＣＣＨ領域２１２のサイズは、例えば、Ｍｕｌｔｉｃａｓｔ／Ｂｒｏａｄｃａｓｔ  Ｓｉｎｇｌｅ  Ｆｒｅｑｕｅｎｃｙ  Ｎｅｔｗｏｒｋ（ＭＢＳＦＮ）サブフレームとして、アクセスノード１０６が中継ノード１０２にデータを伝送する、サブフレーム内で固定される。これは、図２ａおよび２ｂの場合ならびにＭＢＳＦＮサブフレーム以外のサブフレームと対照的であり得、ＭＢＳＦＮサブフレーム以外のサブフレームでは、アクセスノードＰＤＣＣＨ領域２１２は、動的であって、可能性として、サブフレームからサブフレームに変化し得る。
【００２２】
例えば、アクセスノードＰＤＣＣＨ領域２１２は、アクセスノード１０６が中継ノード１０２に送信するサブフレーム毎に、２つのＯＦＤＭシンボルに設定される場合がある。他の場合では、アクセスノードＰＤＣＣＨ領域２１２の他のサイズも、設定され得る。アクセスノード１０６は、上層信号伝達３１０において、アクセスノードＰＤＣＣＨ領域２１２のサイズを中継ノード１０２に伝送可能である。すなわち、本サイズ情報は、ＰＤＣＣＨ内で伝送されない。例えば、アクセスノード１０６は、ブロードキャスト制御チャネル（ＢＣＣＨ）において、無線リソース制御（ＲＲＣ）信号伝達において、媒体アクセス制御（ＭＡＣ）制御要素として、またはある他の上層信号３１０において、サイズ情報を伝達する場合がある。
【００２３】
別の可能性は、本サイズ情報が、例えば、２つまたは３つのＯＦＤＭシンボルに対して、事前に構成される、またはプリセットであることである。この場合、信号伝達は、必要ない。本実施形態では、アクセスノードＰＤＣＣＨ領域２１２のサイズは、中継ノードＰＤＣＣＨ領域２２２のサイズ以上である。例えば、中継ノードＰＤＣＣＨ領域２２２が、２つのＯＦＤＭシンボルである場合、アクセスノードＰＤＣＣＨ領域２１２のサイズは、２つのＯＦＤＭシンボル以上となるであろう。
【００２４】
アクセスノードＰＤＣＣＨ領域２１２のサイズを知ることによって、中継ノード１０２は、アクセスノード１０６がＰＤＣＣＨ情報の送信を停止し、ＰＤＳＣＨデータの送信を開始すべき固定点３２０を把握する。次いで、中継ノード１０２は、対応する時点３３０において、アクセスノード１０６からのＰＤＳＣＨデータの待ち受けを開始すべきことを把握する。
【００２５】
ある場合には、アクセスノード１０６は、アクセスノードＰＤＣＣＨ領域２１２の実際のサイズより若干小さいサイズを示す場合がある。これは、中継ノード１０２に、ＰＤＳＣＨデータが、実際に、伝送を開始するのに若干先だって、ＰＤＳＣＨデータの待ち受けを開始させることが可能である。これは、順に、いかなる中継切替遅延も補償し、中継ノード１０２が、中継ノード１０２が伝送モードから受信モードへの遷移にある間に送信され得る、いかなるＰＤＳＣＨデータも逸失しないように防止可能である。
【００２６】
代替として、アクセスノード１０６は、中継ノード１０２に、アクセスノードＰＤＣＣＨ領域２１２の実際のサイズを送信するが、中継ノード１０２は、アクセスノードＰＤＣＣＨ領域２１２が終了する時点３２０より若干前の時点３３０において、ＰＤＳＣＨデータの待ち受けを開始する場合がある。これは、再び、切替遅延を補償し、中継ノード１０２がＰＤＳＣＨデータのすべてを受信することを保証し得る。
【００２７】
図３ｂは、代替実施形態を例証する。この場合、アクセスノードＰＤＣＣＨ領域２１２およびアクセスノードＰＤＳＣＨ領域２１４のサイズは、柔軟である。領域の一方が、より大きくなる場合、他方の領域は、対応して、より小さくなり、そのサイズの合計は、サブフレーム２１０のサイズと等しいままとなる。これらのデータ領域サイズは、可変であるが、アクセスノード１０６が、中継ノード１０２への関連ＰＤＳＣＨデータの伝送を開始する時点は、固定される。ある実施形態では、アクセスノード１０６は、アクセスノード１０６がＰＤＣＣＨデータを伝送し得る、最も遅い時点３２０後に生じる、固定点３４０において、ＰＤＳＣＨデータの伝送を開始する。
【００２８】
例えば、アクセスノードＰＤＣＣＨ領域２１２のサイズが、１乃至４つのＯＦＤＭシンボルの範囲で可変である場合、アクセスノード１０６は、サブフレーム２１０の第５または第６のＯＦＤＭシンボルにおいて、ＰＤＳＣＨデータの伝送を開始する場合がある。アクセスノードＰＤＣＣＨ領域２１２のサイズが、１乃至３つのＯＦＤＭシンボルの範囲で可変である場合、アクセスノード１０６は、サブフレーム２１０の第４または第５のＯＦＤＭシンボルにおいて、ＰＤＳＣＨデータの伝送を開始する場合がある等である。アクセスノード１０６は、可変長ＰＤＣＣＨ情報の最も遅い可能性のある終点を把握し、本終点を超えた固定点において、中継ノード１０２への関連ＰＤＳＣＨデータの伝送を開始する。
【００２９】
アクセスノード１０６は、上述のように、上層信号伝達３１０を使用して、中継ノード１０２に、アクセスノード１０６がＰＤＳＣＨデータの伝送を開始する時点３４０を通知可能である。次いで、中継ノード１０２は、対応する時点３３０において、ＰＤＳＣＨデータの待ち受けを開始可能である。上述の実施形態と同様に、切替遅延を補償するために、アクセスノード１０６または中継ノード１０２のいずれかは、中継ノードがＰＤＳＣＨデータの待ち受けを開始する時点３３０と、アクセスノードがＰＤＳＣＨデータの伝送を開始する時点３４０との間に若干のオフセットを生成する場合がある。
【００３０】
本実施形態では、アクセスノード１０６がＰＤＣＣＨ情報の伝送を停止する時点３２０と、アクセスノード１０６が実際のＰＤＳＣＨデータの伝送を開始する時点３４０との間に、ギャップが存在し得る。ある実施形態では、アクセスノード１０６は、ダミーデータ３５０によって、本ギャップを充填する能力を有する。すなわち、ＰＤＣＣＨ領域２１２は、依然として、時点３２０で終了し、ＰＤＳＣＨ領域２１４は、依然として、時点３２０から開始する。しかしながら、時点３２０と時点３４０との間のＰＤＳＣＨ領域２１４の一部は、中継ノード１０２に関連しないダミーＰＤＳＣＨデータ３５０を含む。中継ノード１０２に関連する、実際のＰＤＳＣＨデータの伝送は、時点３４０まで開始されない。
【００３１】
図４は、データを受信すべき時を中継ノードに通知するための方法４００の実施形態を例証する。ブロック４１０では、中継ノードは、アクセスノードが、物理的ダウンリンク共有チャネルを介して、関連データの伝送を開始する時のデータのサブフレーム内の固定点を通知される。ブロック４２０では、中継ノードは、略固定点において、データの受信を開始する。
【００３２】
上述のＵＡ１１０および他の構成要素は、上述の作用に関する命令を実行可能な処理構成要素を含む場合がある。図５は、本明細書に開示される１つ以上の実施形態を実装するために好適な処理構成要素１３１０を含む、システム１３００の実施例を例証する。プロセッサ１３１０（中央プロセッサユニットまたはＣＰＵと称され得る）に加えて、システム１３００は、ネットワーク接続デバイス１３２０と、ランダムアクセスメモリ（ＲＡＭ）１３３０と、読取専用メモリ（ＲＯＭ）１３４０と、二次記憶装置１３５０と、入力／出力（Ｉ／Ｏ）デバイス１３６０とを含む場合がある。これらの構成要素は、バス１３７０を介して相互に通信する場合がある。ある場合には、これらの構成要素のうちのいくつかは、存在しなくてもよく、または相互の組み合わせ、もしくは図示されない他の構成要素との種々の組み合わせとして、組み合わされてもよい。これらの構成要素は、単一の物理エンティティ内、または２つ以上の物理エンティティ内に位置する場合がある。プロセッサ１３１０によって行われると本明細書に記載するいずれの作用も、プロセッサ１３１０のみ、または、デジタル信号プロセッサ（ＤＳＰ）１３８０等の、図中に示される、もしくは示されない１つ以上の構成要素と協働するプロセッサ１３１０によって行われる場合がある。ＤＳＰ１３８０は、別個の構成要素として示されているが、ＤＳＰ１３８０は、プロセッサ１３１０に組み込まれる場合がある。
【００３３】
プロセッサ１３１０は、それがネットワーク接続デバイス１３２０、ＲＡＭ１３３０、ＲＯＭ１３４０、または二次記憶装置１３５０（ハードディスク、フロッピー（登録商標）ディスク、または光ディスク等、種々のディスクベースのシステムを含む場合がある）からアクセスする場合がある、命令、コード、コンピュータプログラム、またはスクリプトを実行する。１つのＣＰＵ１３１０のみが示されているが、複数のプロセッサが存在してもよい。したがって、命令が、プロセッサによって実行されているように述べられ得るが、命令は、同時に、順次、あるいは別様に、１つまたは複数のプロセッサによって実行されてもよい。プロセッサ１３１０は、１つ以上のＣＰＵチップとして実装されてもよい。
【００３４】
ネットワーク接続デバイス１３２０は、モデム、モデムバンク、イーサネット（登録商標）デバイス、ユニバーサルシリアルバス（ＵＳＢ）インターフェースデバイス、シリアルインターフェース、トークンリングデバイス、光ファイバ分散データインターフェース（ＦＤＤＩ）デバイス、無線ローカルエリアネットワーク（ＷＬＡＮ）デバイス、シンボル分割多重アクセス（ＣＤＭＡ）デバイス、グローバルシステムフォーモバイルコミュニケーションズ（ＧＳＭ）無線送受信機デバイス等の無線送受信機デバイス、マイクロ波アクセス用の世界的相互運用性（ＷｉＭＡＸ）デバイス、および／またはネットワークに接続するための他の公知のデバイスの形態を成してもよい。これらのネットワーク接続デバイス１３２０によって、プロセッサ１３１０は、そこからプロセッサ１３１０が情報を受信する場合がある、またはそこにプロセッサ１３１０が情報を出力する場合がある、インターネット、あるいは１つ以上の電気無線通信ネットワークまたは他のネットワークと通信可能となり得る。また、ネットワーク接続デバイス１３２０は、データを無線で伝送および／または受信可能な１つ以上の送受信機構成要素１３２５を含む場合がある。
【００３５】
ＲＡＭ１３３０を使用して、揮発性データ、および可能性として、プロセッサ１３１０によって実行される命令を記憶する場合がある。ＲＯＭ１３４０は、典型的には、二次記憶装置１３５０のメモリ容量より小さいメモリ容量を有する、不揮発性メモリデバイスである。ＲＯＭ１３４０を使用して、命令、および可能性として、命令の実行中に読み取られるデータを記憶する場合がある。ＲＡＭ１３３０およびＲＯＭ１３４０の両方へのアクセスは、典型的には、二次記憶装置１３３０へのアクセスよりも高速である。二次記憶装置１３５０は、典型的には、１つ以上のディスクドライブまたはテープドライブから成り、ＲＡＭ１３３０が全ての作業用データを保持するのに十分大きくない場合、データの不揮発性保存用に、またはオーバーフローデータ記憶デバイスとして使用される場合がある。二次記憶装置１３５０は、プログラムが実行のために選択されると、ＲＡＭ１３３０へロードされる、プログラムを記憶するために使用され得る。
【００３６】
Ｉ／Ｏデバイス１３６０は、液晶ディスプレイ（ＬＣＤ）、タッチスクリーンディスプレイ、キーボード、キーパッド、スイッチ、ダイヤル、マウス、トラックボール、音声認識装置、カードリーダ、紙テープ読取機、プリンタ、ビデオモニタ他の公知の入出力デバイスを含み得る。また、送受信機１３２５は、ネットワーク接続デバイス１３２０の構成要素である代わりに、またはそれに加えて、Ｉ／Ｏデバイス１３６０の構成要素であると見なされる場合がある。
【００３７】
ある実施形態では、データを受信すべき時を中継ノードに通知するための方法が、提供される。方法は、中継ノードが、アクセスノードが、物理的ダウンリンク共有チャネルを介して、関連データの伝送を開始する時のデータのサブフレーム内の固定点を通知される、ステップを含む。さらに、方法は、中継ノードが、データ略固定点において、データの受信を開始するステップを含む。
【００３８】
別の実施形態では、無線電気通信システム内のアクセスノードが、提供される。アクセスノードは、アクセスノードが、中継ノードに、アクセスノードが、関連物理的ダウンリンク共有チャネルデータの伝送を開始する、データのサブフレーム内の固定点に関連する情報を伝送するように構成される、プロセッサを含む。
【００３９】
別の実施形態では、無線電気通信システム内の中継ノードが、提供される。中継ノードは、中継ノードが、アクセスノードから、アクセスノードが、関連物理的ダウンリンク共有チャネルデータの伝送を開始する、データのサブフレーム内の固定点に関連する情報を受信するように構成される、プロセッサを含む。さらに、プロセッサは、略固定点において、データの受信を開始するように構成される。
【００４０】
以下は、あらゆる目的のために、参照することによって、本明細書に組み込まれる。３ｒｄ  Ｇｅｎｅｒａｔｉｏｎ  Ｐａｒｔｎｅｒｓｈｉｐ  Ｐｒｏｊｅｃｔ（３ＧＰＰ）Ｔｅｃｈｎｉｃａｌ  Ｓｐｅｃｉｆｉｃａｔｉｏｎ（ＴＳ）（第３世代パートナーシッププロジェクト技術規格）３６．８１３および３ＧＰＰ  ＴＳ  ３６．８１４。
【００４１】
本開示において複数の実施形態を提供してきたが、開示されたシステムおよび方法は、本発明の精神または範囲から逸脱することなく、多数の他の特定の形態で具体化されてもよいことを理解されたい。本実施例は、制限的ではなく例証的と見なされ、本明細書で提供される詳細に限定されることを意図しない。例えば、種々の要素または構成要素を、別のシステムに組み入れるか、または一体化してもよく、あるいは、ある特徴を省略するか、または実装しなくてもよい。
【００４２】
また、離散したものまたは別個のものとして種々の実施形態の中で説明および例証される技術、システム、サブシステム、および方法は、本開示の範囲から逸脱することなく、他のシステム、モジュール、技術、または方法と組み合わせても、または一体化してもよい。連結もしくは直接連結または相互に通信するように図示または説明される他のアイテムは、電気的、機械的、またはその他の方法かどうかにかかわらず、何らかのインターフェース、デバイス、または中間構成要素を通して、間接的に連結または通信してもよい。変更、置換、および改変の他の例は、当業者により解明可能であり、本明細書で開示される精神および範囲から逸脱することなく行うことが可能である。
【図１】
2012520621.tif 000003
【図２ａ】
2012520621.tif 000004
【図２ｂ】
2012520621.tif 000005
【図３ａ】
2012520621.tif 000006
【図３ｂ】
2012520621.tif 000007
【図４】
2012520621.tif 000008
【図５】
2012520621.tif 000009
【国際調査報告】
2012520621.tif 000010
2012520621.tif 000011